(57)【要約】【課題】アルミ等の金属を使用することなくバリア性を確保し、更には、外観において差別化ができる携帯型収容袋を提供する。【解決手段】本考案は、内容物を収容する収容部を備え、紙基材１３を用いた紙製の携帯型収容袋であり、紙基材１３の内面にバリア性を有する非金属バリア層１４が一体化されて成るシート本体１５と、シート本体１５の内面に設けられ、非金属バリア層１４を保護するための樹脂製の保護層１６と、を有する積層構造のシート材１１を重ね、周囲を溶着して袋状に成形されたことを特徴とする【選択図】  図４
0003217566.tif 000002
【実用新案登録請求の範囲】
【請求項１】
内容物を収容する収容部を備え、基材に紙材を用いた紙製の収容袋であり、
紙基材の内面にバリア性を有する非金属バリア層が一体化されて成るシート本体と、
前記シート本体の内面に設けられ、前記非金属バリア層を保護するための樹脂製の保護層と、
を有する積層構造のシート材を重ね、周囲を溶着して袋状に成形されたことを特徴とする携帯型収容袋。
【請求項２】
前記シート本体の外面には、樹脂製の外層が被着されていることを特徴とする請求項１に記載の携帯型収容袋。
【請求項３】
前記保護層、及び、外層は、前記シート本体にポリエチレン系又はポリプロピレン系の樹脂をコーティングすることによって形成されることを特徴とする請求項２に記載の携帯型収容袋。
【請求項４】
前記重ねられて溶着されたシート材には、その溶着領域の一部に内容物を注出するための注出口が溶着されており、前記注出口には、開封可能なキャップが装着されていることを特徴とする請求項１から３のいずれか１項に記載の携帯型収容袋。
【考案の詳細な説明】
【技術分野】
【０００１】
本考案は、飲料、化粧液等の流動体、ゼリー、クリーム等の半流動体、更にはアイスクリーム等の固形体等（以下、内容物と称する）を収容するための携帯型収容袋に関する。
【背景技術】
【０００２】
従来、上記した内容物を収容するものとして、ユーザが手軽に携行できる携帯型収容袋が知られており、スーパー、コンビニエンスストア、ドラッグストア等において、様々のものが販売されている。前記携帯型収容袋は、柔軟性を有する合成樹脂製のフィルムシート材、例えば、溶着し易いように、ポリエチレンやポリプロピレンなどによって構成されており、その表面側には、内容物に対するバリア性（ガスバリア性、遮光性、保香性など）を高めるようにアルミ材が積層されている（複合層構造）。
【０００３】
前記合成樹脂製のシート材は、重ねられて周縁部が溶着されると共に、周縁部の一部に内容物を注出する注出口（スパウトとも称される）を溶着し、ユーザは注出口に装着されたキャップを開封して内容物を飲食できるようになっている。前記携帯型収容袋としては、単に周囲を溶着した非自立袋、或いは、例えば、特許文献１に開示されているように、両側にマチ部を形成し、かつ、底壁を備えた自立袋など、様々な形態が知られている。
【先行技術文献】
【特許文献】
【０００４】
【特許文献１】特開２０１１−２０７０９号公報
【考案の概要】
【考案が解決しようとする課題】
【０００５】
通常、内容物を収容した収容袋は、中身を消費すると、そのままゴミ箱に廃棄されるが、上記したように、シート材にアルミ箔をラミネートしたり、アルミを蒸着したフィルムをラミネートする等、バリア性を有するアルミ材が使用されているため、環境問題を考慮すると適切ではない。すなわち、アルミは、紙のように燃えるごみではなく、分別する必要性があるが、従来では、紙材と共に廃棄処分されており、環境上、好ましくはない。また、上記した携帯型収容袋は、どれも同じような外観となっており、風合い等を考慮すると、区別化することが難しい状況となっている。
【０００６】
本考案は、上記した問題に着目してなされたものであり、アルミ等の金属材料を使用することなくバリア性を確保し、更には、外観において差別化ができる携帯型収容袋を提供することを目的とする。
【課題を解決するための手段】
【０００７】
上記した目的を達成するために、本考案は、内容物を収容する収容部を備え、基材に紙材を用いた紙製の携帯型収容袋であり、紙基材の内面にバリア性を有する非金属バリア層が一体化されて成るシート本体と、前記シート本体の内面に設けられ、前記非金属バリア層を保護するための樹脂製の保護層と、を重ね、周囲を溶着して袋状に成形されたことを特徴とする。
【０００８】
上記した構成の携帯型収容袋は、シート本体が、紙基材の内面にバリア性を有する非金属バリア層を備えており、この非金属性のバリア層によって内容物が保護されるため、従来のように、アルミ箔をラミネートしたり、アルミを蒸着したフィルムをラミネートする等、バリア性のあるアルミ材を用いる必要がなくなる。したがって、アルミ廃棄に伴う問題が生じることなく、しかも、シート本体が紙を主体として構成されるため、環境に優しく、加工し易いとともに、多様な原紙を選択して風合いを高めることもできる。
【０００９】
また、上記した構成では、非金属バリア層を保護するための樹脂製の保護層が設けられるため、非金属バリア層の脱落や劣化を防止でき、シート本体が保有するバリア性を長期間にわたって維持できるとともに、シート本体同士を溶着して、各種の内容物（例えば、流動体、半流動体、固形体等）を収容する携帯型収容袋を容易に成形することが可能となる。
【考案の効果】
【００１０】
本考案によれば、アルミ等の金属を使用することなく、バリア性を確保できると共に、外観に風合いを持たせた携帯型収容袋を提供できる。
【図面の簡単な説明】
【００１１】
【図１】本考案の一実施形態に係る携帯型収容袋の斜視図。
【図２】図１に示す携帯型収容袋の平面図。
【図３】図２のＡ−Ａ線に沿った断面図。
【図４】シート材の層構造を示す概略断面図。
【考案を実施するための形態】
【００１２】
以下、図面を参照して、本考案の一実施形態について説明する。
図１から図３は、飲料物等を収容する携帯型収容袋（以下、収容袋とも称する）を示す図であり、図１は斜視図、図２は平面図、図３は図２のＡ−Ａ線に沿った断面図である。
【００１３】
これらの図に示すように、本実施形態の収容袋１０は、後述する積層構造を有する略矩形状のシート材（紙製バリア包装材料）１１を重ね、その周囲（両側端部１１ａ，１１ｂの内面、及び、上下端部１１ｃ，１１ｄの内面；斜線部分）を溶着等することで収容空間Ｓを有する袋状に成形されている。この場合、本実施形態の収容袋１０は、重ねたシート材の両側端部の間にＶ字状に折曲した側壁シート１２を介在しており、これにより、側部にマチを備えた、いわゆるガゼット袋として構成されている。
【００１４】
なお、収容袋１０は、１枚のシート材の中央部を折り畳み、両側を溶着して袋状に構成（二方袋）しても良いし、２枚のシート材を重ね、周囲を溶着することで袋状に構成したもの（三方袋）であっても良い。或いは、図１に示す形態において、更に底壁を備えた自立体として構成しても良い。
【００１５】
上記したようなシート材１１，１２を重ね、周縁部を溶着するに際して、その溶着領域の一部には、内容物を注出するための注出口（スパウト）２０が介在して溶着されている。スパウト２０は、断面舟形形状、円形状、楕円形状等に形成された溶着部２１と、注出口部２２とを備え、更に、注出口部２２を開封可能なキャップ２３が装着されている。すなわち、キャップ２３を開封することで、収容空間Ｓに収容された内容物は、注出口部２２を介して注出可能となる。
【００１６】
図４に示されるように、収容袋１０を構成する積層構造のシート材１１（１２）は、紙基材１３の内面にバリア性を備えた非金属バリア層１４が一体化されて成るシート本体１５と、このシート本体１５の内面に設けられる樹脂製の保護層１６とを有する。この場合、保護層１６は、シート本体１５の非金属バリア層１４上に、樹脂材料、例えば、ポリエチレン系又はポリプロピレン系の樹脂等をラミネートすることによって形成される。この保護層１６は、収容空間Ｓ内に収容される内容物から非金属バリア層１４を保護する機能を備えると共に、製袋時において、シート材同士を熱溶着させる機能を備える。
【００１７】
前記シート本体１５を構成する紙基材１３は、様々な原紙（一般的な植物繊維製のもの等）を用いることができ、非金属バリア層１４の構成材料としては、バリア性の効果を備えたＰＶＡ（ポリビニルアルコール）等の材料を用いることができる。この場合、非金属バリア層１４は、紙基材１３に対して、表面に積層して一体化することが可能である。
【００１８】
なお、上記したような機能が発揮されるシート本体１５としては、例えば、日本製紙株式会社の「シールドプラス（登録商標）プレミア」を用いることが可能である。このような素材は、紙基材１３に被着される非金属バリア層１４がバリア機能（ガスバリア性、遮光性、保香性など）を発揮することが可能である。
【００１９】
また、前記シート本体１５（紙基材１３）の外表面側には、水分が浸透できないように、樹脂（ポリエチレン系又はポリプロピレン系の樹脂等）をコーティングした外層１８を被着（積層）しておくことが好ましい。
【００２０】
上記した構成の収容袋１０によれば、シート本体１５が非金属バリア層１４を備えており、非金属性のバリア層１４がバリア機能を有するため、紙基材１３の内面にアルミ箔をラミネートしたり、アルミを蒸着したフィルムをラミネートする必要がなく、したがって、アルミ廃棄に伴う環境問題が生じることはない。しかも、シート本体１５が紙を主体として構成されるため、環境に優しく、加工し易いとともに、多様な原紙を選択して外観に風合いを持たせることができる。
【００２１】
また、本実施形態によれば、非金属バリア層１４を保護するための樹脂製の保護層１６が設けられるため、非金属バリア層１４の脱落や劣化を防止でき、シート本体１５が保有するバリア性を長期間にわたって維持できる。
【００２２】
以上、本考案の実施形態について説明したが、本考案は、上記した実施形態に限定されず、その要旨を逸脱しない範囲で種々変形して実施できる。例えば、シート材を構成する層の数は、収容する内容物の形態に応じて任意に設定でき、シート本体がバリア性以外の機能、例えば、そのような機能に加えて、意匠性を備えていたり、環境適応性のある機能等を兼ね備えても構わない。また、本実施形態では、注出口２０（スパウト）を介して内容物を注出する構成としたが、所望の位置に切欠部（スコアライン）を形成し、引き裂くことで内容物を注出する構成であっても良い。
【符号の説明】
【００２３】
１０  携帯型収容袋
１１，１２  シート材
１３  紙基材
１４  非金属バリア層
１５シート本体
１６  保護層
１８  外層
【図１】
0003217566.tif 000003
【図２】
0003217566.tif 000004
【図３】
0003217566.tif 000005
【図４】
0003217566.tif 000006